(57)【要約】【課題】  １セクタ内の同期フレ−ム位置の誤検出を容易に回避し、フレ−ム位置の誤検出によるエラ−伝播を防止すること。【解決手段】  少なくともセクタに含まれる複数フレ−ムに対して同一の第１、第２・・・第ｎの同期信号（ｎは正の整数）をそれぞれｋフレ−ム（ｋは正の整数）おきに連続して配置することで１セクタを第１、第２・・・第ｎの領域に分割する際に、各領域に含まれるｋフレ−ムおきの第１、第２・・・第ｎの同期信号に与えられるビットパタ−ンは互いに符号間距離が２以上とする。あるいは反転ビット数が互いに異なるビットパタ−ンを与える。【選択図】  図１
2006286187.tif 000002
【特許請求の範囲】
【請求項１】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記第１のフレームの直前のｎ個（ｎは２以上の整数）の同期信号は、連続する同期信号の関係が、
前記識別のためのビットパターンが互いに符号間距離が２以上となる関係であるか、或いは、
前記識別のためのビットパターンに含まれる反転ビット数が異なる関係であることを特徴とするディジタル信号記録方法。
【請求項２】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記第１のフレームの直前のｎ個（ｎは３以上の整数）の同期信号は、連続するｋ個（ｋは２以上の整数）の同期信号の関係が、
前記識別のためのｋ個のビットパターン中、２つ以上のビットパターンの組み合わせにおいて、互いに符号間距離が２以上となる関係であるか、或いは、
前記識別のためのｋ個のビットパターン中、２つ以上のビットパターンの組み合わせにおいて、含まれる反転ビット数が異なる関係であることを特徴とするディジタル信号記録方法。
【請求項３】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記セクタに対する複数の同期フレーム全てに対してその同期信号に与えられるビットパターンは互いに符号間距離が２以上、或いはビットパターンに含まれる反転ビット数が異なることを特徴とするディジタル信号記録方法。
【請求項４】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記セクタに含まれるフレーム複数に対して、ｋフレーム（ｋは１以上の整数）おきに配置される連続する同期信号の関係が、
連続する前記識別のための同期信号に対するビットパターンのｋフレームおきの組合わせにおいて、互いに符号間距離が２以上となる関係であるか、或いは、連続する前記識別のための同期信号に対するビットパターンのｋフレームおきの組み合わせにおいて、含まれる反転ビット数が異なる関係であることを特徴とするディジタル信号記録方法。
【請求項５】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録した情報記録媒体であって、
前記第１のフレームの直前のｎ個（ｎは２以上の整数）の同期信号は、連続する同期信号の関係が、
前記識別のためのビットパターンが互いに符号間距離が２以上となる関係であるか、或いは、
前記識別のためのビットパターンに含まれる反転ビット数が異なる関係であることを特徴とする情報記録媒体。
【請求項６】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録した情報記録媒体であって、
前記第１のフレームの直前のｎ個（ｎは３以上の整数）の同期信号は、連続するｋ個（ｋは２以上の整数）の同期信号の関係が、
前記識別のためのｋ個のビットパターン中、２つ以上のビットパターンの組み合わせにおいて、互いに符号間距離が２以上となる関係であるか、或いは、
前記識別のためのｋ個のビットパターン中、２つ以上のビットパターンの組み合わせにおいて、含まれる反転ビット数が異なる関係であることを特徴とする情報記録媒体。
【請求項７】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録した情報記録媒体であって、
前記セクタに含まれるフレーム複数に対して、ｋフレーム（ｋは１以上の整数）おきに配置される連続する同期信号の関係が、
連続する前記識別のための同期信号に対するビットパターンのｋフレームおきの組合わせにおいて、互いに符号間距離が２以上となる関係であるか、或いは、連続するO記識別のための同期信号に対するビットパターンのｋフレームおきの組み合わせにおいて、含まれる反転ビット数が異なる関係であることを特徴とする情報記録媒体。
【発明の詳細な説明】
【技術分野】
【０００１】
本発明は、ディジタル信号記録方法、及び情報記録媒体に関し、特に記録情報に対し変調処理を行い、同期信号を付加することで生成した同期フレームに対するディジタル信号をディスク記録媒体に上に記録ピット（マーク）として記録する場合のディジタル信号記録方法、及び情報記録媒体に関する。
【背景技術】
【０００２】
記録情報に対し変調処理を行った後の一定量のデータ単位でその先頭を示す同期信号を付加することで同期フレームを構成し、その同期フレームに対するディジタル信号をディスク記録媒体上の記録ピット(マーク)として記録するディスク記録媒体の一例としてＤＶＤ(Digital Versatile Disc)が挙げられる。このＤＶＤについてのディジタル信号の生成方法は非特許文献１、特許文献１の公知例にその技術が記載されている。この技術について図２、図３を用いて説明する。図２において、ディスクへの記録単位であるセクタに格納する2キロ(２０４８)バイトの記録情報にディスク上の記録アドレスを示すセクタＩＤ番号をはじめとするセクタ固有の情報などを付加した配列、１７２バイト×１２行でセクタデータを構成し、次にセクタデータ１６個を集めた１７２バイト×１２行×１６セクタ＝３２キロバイトの配列に対して、縦系列に対してＰＯ訂正符号１６バイト、横系列に対してＰＩ訂正符号１０バイトを付加することで訂正ブロックを構成し、更にＰＯ訂正符号を含む行データについては１２行単位のセクタデータ毎に１行を分散することでインタリーブ配列を構成する。更にインタリーブ配列に含まれる行データに対し８−１６変調処理、同期信号の付加を行うことで１行につき同期フレーム２個を生成する。生成した同期フレームに対する８種類の同期信号ＳＹ０〜ＳＹ７の配置方法については、セクタＩＤ番号を含む先頭同期フレームからＰＯ訂正符号に対する同期フレーム２６フレームに対し、先頭同期フレームにＳＹ０の同期信号を一つ配置し、それ以降の同期フレームに対してはＳＹ５、ＳＹ１、ＳＹ５、・・・の順に配置される。更に同期信号の配置順、ＳＹ０、ＳＹ５、ＳＹ１、ＳＹ５、・・・に従い同期フレームに対するディジタル信号をディスク上に連続的に記録する。８−１６変調処理についてはＲＬＬ(Run Length Limited)符号化方法が用いられており、Ｔをディスク上の記録ビット（マーク）間隔の単位とすると、最小ラン長ｄ＝２Ｔ、最大ラン長ｋ＝１０Ｔのラン長制限を満たすように行データに含まれる８ビットデータを１６ビット（１ワード）のコードワードに変換する。行データに対する同期フレームの数については、同期フレーム単位での同期引込みを容易に行い、同期はずれによるエラー伝播を防ぐ目的で２フレームで構成される。２６個の同期フレームに対する同期信号ＳＹ０〜ＳＹ７の配置については、１セクタ内でのフレーム位置の特定が可能なようにセクタＩＤ番号が含まれる先頭同期フレームに対してはＳＹ０が１回だけ与えられ、左側の同期フレームについてはＳＹ１〜ＳＹ４までが周期的となるように配置され、右側の同期フレームには１セクタ内部を３つの領域に分割するようにＳＹ５、ＳＹ６、ＳＹ７それぞれが各領域毎に連続して付加される。図３は上記公知例に示されるＳＹ０〜ＳＹ７の同期信号の構成、与えられるビットパターンを示している。同期信号については３２ビットからなり、同期フレームに含まれる最後のコードワードと同期信号の間で最小ラン長、最大ラン長の制約を守るための３種類の接続ビット｛０００｝｛００１｝｛１００｝と、同期信号ＳＹ０〜ＳＹ７の識別パターン、最大ラン長の制約から外れたビットパターンを含む４Ｔ以上−１４Ｔ−４Ｔ��ビットパターンで構成され、ＳＹ０〜ＳＹ７全ての同期信号に共通の同期パターンから構成される。
【０００３】
同期信号は接続ビットの種類により合計３２種類の同期信号が構成され、図３の（ａ−１）、（ａ−２）、（ｂ−１）、（ｂ−２）に分類される。各分類された同期信号の付加は直前のコードワードによって最小ラン長、最大ラン長の制約を満たしながら、かつ同期フレームに対するディジタル信号において直流成分が最小となるような最適なビットパターンの選択行われる。例えば同期信号ＳＹ０については接続ビット、識別パターンによって同じ同期信号ＳＹ０を示すビットパターンであっても直前のコードワードに対して最小ラン長、最大ラン長の制約を満たす目的で接続ビットパターンが異なる（ａ−１）、（ａ−２）と（ｂ−１）、（ｂ−２）に分類され、更に直流成分の抑制の目的で同一の接続ビットであっても識別パターンの異なる（ａ−１）と（ａ−２）或いは（ｂ−１）と（ｂ−２）の合計４種類が存在する。フレーム再生時には、同期信号の検出によりフレーム単位でデータの同期化が行われる他、同期信号ＳＹ０〜ＳＹ７の連続検出結果から１セクタ内部のフレーム位置を検出し、その検出結果とセクタＩＤ番号の検出結果から元のインタリーブ配列を復元、訂正符号の復号による誤り訂正処理を行うことで元の記録情報が再生される。
【非特許文献１】NIKKEI ELECTRONICS BOOKS データ圧縮とディジタル変調 ９８年度版 pp.121〜123
【特許文献１】特開平９−１６２８５７号公報
【発明の開示】
【発明が解決しようとする課題】
【０００４】
上記した従来技術における同期信号のビットパターン同士の相似度を、その反転ビット数、符号間距離を用いて示した場合を図４に示す。ここで反転ビット数とは同期フレームに含まれるデータビットが１の時にのみ、ディスク上に形成される記録マーク（ピット）の状態を反転させＮＲＺＩ(Non Return to Zero Inverted)記録を行う場合に、同期信号のビットパターンに含まれるデータビット"１"の出現回数をカウントしたものであり、他の同期信号に対して反転回数が多いほどビットパターンの相似度が低いことになる。符号間距離については同期信号のビットパターンに対する反転ビット数が同じで、データビット“１”の位置をシフトして別の同期信号に対するビットパターンと一致するまでに要するシフト回数を符号間距離として与える。図４には同期信号の各分類毎に、反転ビット数と同期信号ＳＹ０〜ＳＹ７それぞれに対し符号間距離＝１の同期信号を示してある。（ａ−１）、（ａ−２）、（ｂ−１）、（ｂ−２）それぞれの分類において、特に符合間距離が１の同期信号間では１ビットシフトしただけで別の同期信号として識別される可能性が高い。一方でディスク再生時には再生信号を２値化（ディジタル化）する際にスライスレベル調整が行われる。スライスレベル調整が変動するような不安定な状態の場合や、隣接する記録マーク（ピット）で符合間干渉が発生する状態では、本来のビット位置から前後１ビットずれて２値化されてしまうビットシフトが容易に発生する。そのため同期信号を構成する同期パターンについてはビットシフトを考慮し、８−１６変調後の最大ラン長の制約による最大間隔１１Ｔよりも３Ｔ外れ、最小ラン長の制約による最小間隔３Ｔよりも１Ｔ多い４Ｔ以上−１４Ｔ−４Ｔの全ての同期信号に共通の同期パターンが与えられている。しかしながら同期信号中の接続ビット、識別パターンについては図４に示すように符号間距離１の同期信号が存在することからビットシフトによる同期信号ＳＹ０〜ＳＹ７の誤った識別がおこなわれる。特に追記型のディスク、書換え可能なディスクについては、ディスク上にへの記録マーク形成時に振動など物理的な外乱、記録マークの形成むらにより本来のマーク長より微妙に長かったり、短かったりする場合が有り、またディスクの記憶容量を上げる目的で記録媒体上のトラックピッチ、記録マーク(ピット)長をより微細にして高密度記録する場合には上記マーク形成時の外乱、記録マーク生成の形成むら影響、再生時の外乱によってビットシフトが頻発するものと予想される。このビットシフトによる同期信号の誤った識別が例えば図２（ｃ）に示す１セクタあたり２６個の同期フレームにおいて発生する場合の問題点を説明する。
【０００５】
図２(c)において例えば１セクタ内のフレーム位置の特定を、連続する３フレームに対する同期信号の識別により行う場合、例えば２６フレーム中、第６フレームの同期信号ＳＹ５がビットシフトが原因で符号間距離が１のＳＹ７と誤って識別された場合、第７フレームの再生でＳＹ２−５−３の連続同期信号がＳＹ２−７−３となり、以降のフレームの再生で正しいフレームの連続性ＳＹ３−５−４が成立する第９フレームの間の２フレームが、１セクタ内の第２３から第２４フレームとして誤って識別されてしまう。この場合はディスク上に発生した傷、ごみが原因のバーストエラーでないにも関わらず、フレーム位置特定が誤ってしまったため、１セクタ中第7から第８フレームに抜けが生じ、バースト的なエラーが発生してしまう。更に例えば、第２４、第２６フレームのＳＹ７がビットシフトが原因で符号間距離＝１のＳＹ５に誤って識別された場合、第２６フレームの再生でＳＹ７−４−７の同期信号の連続性成立がＳＹ５−４−５と誤りフレーム位置が第１０フレームと判定されてしまう。以降のフレームの再生で正しいフレームの連続性ＳＹ０−５−１が成立するのは次セクタの第３フレームからであり次セクタの同期フレームまでが、今のセクタ内でのフレームと判定される。その間でＳＹ０を正しく検出できたとしても、ＳＹ４−７−０の連続性が成立しないためセクタ先頭のフレーム位置の検出ができない。よって同期フレームＳＹ０の先頭に含まれるセクタＩＤ番号の検出も行われなくなる、つまり図２（ｂ）に示すインタリーブブロックにおいて次セクタへの領域の更新が行われなくなる。
【０００６】
よって更に次のセクタＩＤ番号の検出が行われるまでの同期フレーム２６フレームはセクタが更新されないまま、本来より一つ手前のセクタ内のフレームとされてしまいその間に含まれる２６フレームについてはセクタの更新が行われないため完全に抜けが生じ、結局バースト的なエラーフレーム数はＳＹ０−５−１が成立する第３フレームからの２４フレームとセクタ抜けが生じた２６フレームの合計５０フレームになってしまう。この場合図２（ａ）の訂正ブロックにおけるＰＯ訂正符号の訂正可能なバイト数を超えてしまうため訂正不能、つまり元の記録情報の再生が不可能となる。再生不能の場合リトライ動作で再度訂正不能となったセクタを再度読取る動作が行われるが、記録情報が例えば映像や音声データの場合にはそのビットレートと、ディスクへの転送レートの関係から場合によっては、再生映像、再生音声が途切れることが問題となり、リトライ動作の繰り返し実行はできない。特に高密度で記録マークの生成を行う高密度ディスクにおいては、ますます上記したビットシフトが原因となるフレーム位置の誤った識別による訂正不能、つまり再生不能が頻発するものと予想される。
【０００７】
以上の場合１セクタ内の位置判定を行う際の連続フレーム数を４フレーム、５フレームと増やせば上記問題は回避可能では有る。しかしながら判定する連続フレーム数が例えば７、８フレーム以上とした場合には連続するフレームの同期信号が未検出、或いはビットシフトによる誤った同期信号の識別が１フレームでも行われた場合には、当然フレーム位置の判定ができなくなり、次のフレーム連続性が成立するまでに要するフレーム数が大きくなる。また反転ビット数が最大で、符号間距離も最大のＳＹ０の同期信号のみの検出でフレーム位置を特定した場合にも同じ問題がある。この場合ディスク回転の急激な変動や、ディスク上に発生した傷、ごみの付着によるバーストエラー発生時などの際にディスク上の再生フレームとフレーム位置の識別との不一致が生じ、再度一致するまでの不一致のフレーム数が多くなる。従ってバースト的なエラーフレーム数が増加するため判定フレーム数は大きく採ることはできない。
【０００８】
一方で同期信号ＳＹ０〜ＳＹ７同士の符号間距離を例えばすべて２以上としたり、反転ビット数がすべて異なるようなビットパターンを与えれば上記ビットシフトによる問題が解決されるが、同期信号に割り当てられるビット数の制限があったり、記録情報とは関連の無い冗長なデータ量が増えることからあまり実用的ではない。
【０００９】
よって本発明の目的は、上記フレーム位置の誤った検出による諸問題を解消するディジタル信号記録方法、及び情報記録媒体を提供する。
【課題を解決するための手段】
【００１０】
本発明において上記問題点を解決するため、セクタに含まれるデータを同期信号を含む複数のフレームに分割して記録媒体に記録する際に、同期信号は少なくとも同期信号の識別パターンを含む同期パターンで構成され、連続する数フレームの同期信号に含まれる識別パターンの検出で１セクタ内におけるフレーム位置を特定する際に必要となる同期信号に対するビットパターンを与える方法が解決の手がかりとなる。その本発明におけるその方法を下記（１）から（５）に示す。
【００１１】
（１）少なくともセクタに対する記録媒体上の記録位置を示すアドレス情報を含む同期フレーム手前のｎフレーム（ｎは正の整数）において、その範囲内に含まれるｎフレームの同期信号に与えられるビットパターンは互いに符号間距離が２以上とする。或いは反転ビット数が互いに異なるビットパターンを与える。この解決方法は第３の実施例に対応する。
【００１２】
（２）少なくともセクタに対する記録媒体上の記録位置を示すアドレス情報を含む同期フレーム手前のｎフレーム（ｎは正の整数）において、その範囲内に含まれるｋフレーム（ｋは正の整数でｋ＜ｎ）おきの同期信号に与えられるビットパターンは互いに符号間距離が２以上とする。或いは反転ビット数が互いに異なるビットパターンを与える。この解決方法は第４の実施例に対応する。
【００１３】
（３）少なくともセクタに含まれる複数フレームに対して同一の第１、第２・・・第ｎの同期信号（ｎは正の整数）をそれぞれｋフレーム（ｋは正の整数）おきに連続して配置することで１セクタを第１、第２、・・・第ｎの領域に分割する際に、各領域に含まれるｋフレームおきの第１、第２・・・第ｎの同期信号に与えられるビットパターンは互いに符号間距離が２以上とする。或いは反転ビット数が互いに異なるビットパターンを与える。この解決方法は第１の実施例に対応する。
【００１４】
（４）少なくともセクタに含まれる複数フレームに対して同一の第１、第２・・・第ｎの同期信号（ｎは正の整数）をそれぞれｋフレーム（ｋは正の整数）おきに連続して配置することで１セクタを第１、第２、・・・第ｎの領域に分割する際に、第1、第2、・・・第（ｎ−１）の各領域に含まれる第１、第２・・・第（ｎ−１）の同期信号に与えられるビットパターンとセクタ最終フレームを含む第ｎの領域に含まれる第ｎの同期信号に与えられるビットパターンは互いに符号間距離が２以上とする。或いは反転ビット数が互いに異なるビットパターンを与える。この解決方法は第２の実施例に対応する。
【００１５】
（５）少なくともセクタに含まれる複数フレームに対して同一の第１、第２・・・第ｎの同期信号（ｎは正の整数）それぞれを複数フレームおきにｋフレーム（ｋは正の整数）連続して配置することで１セクタを第１、第２、・・・第ｎの領域に分割する際に、各領域に含まれる連続ｋフレームの第１、第２・・・第ｎの同期信号に与えられるビットパターンは互いに符号間距離が２以上とする。或いは反転ビット数が互いに異なるビットパターンを与える。この解決方法は第５の実施例に対応する。
【発明の効果】
【００１６】
以上説明したように本発明によると、１セクタを複数の同期フレームに分割してディスク記録媒体に記録する際に、複数フレームにおける同期信号に対し符号間距離が互いに２、或いは反転ビット数の異なるビットパターンの配置を行うことで、ビットシフトによるフレーム同期信号の誤った識別を回避し、１セクタ内におけるフレーム位置の誤った判定によるバースト的なエラーフレームの伝播を防止することができる。エラーフレームの伝播を少なくとも１セクタ内に収めることが可能となり再生不能を防止することが可能である。
【発明を実施するための最良の形態】
【００１７】
以下、本発明について図面を用いて説明する。
【００１８】
図１は、本発明のディジタル信号記録方法についての第１の実施例を示す図であって、ビットシフトによる１セクタ内の誤ったフレーム位置の識別を回避するディジタル信号記録方法の一例を示してある。図１において参照数字１は１セクタ内に含まれる２６フレームの中でセクタＩＤを含む同期フレームにのみ１回だけ与えられ、セクタの先頭フレームであることを示す先頭同期信号、２はディスク上のセクタ単位での記録位置を示し少なくともセクタＩＤ番号を含むセクタＩＤ、３は１セクタを構成する２６フレームそれぞれの先頭に付加される同期信号の構成要素のうち、前フレーム最終のコードワード、つまりランレングスリミテッドコードに対する最大ラン長、最小ラン長の制約を満たすビットパターンとなるように付加される接続ビットと、接続ビットと共に最大ラン長、最小ラン長の制約を満たしながら同期信号の種別を示すビットパターンが割り当てられる識別ビットから構成される接続、識別ビット、４は全ての同期信号に共通のビットパターンが与えられ各フレームの先頭を示す共通同期パターン、５は１セクタ内に含まれる２６フレームそれぞれのセクタ内での位置を示したフレーム位置、６は２６フレームで構成されるディスク上の記録単位の一つであるセクタを示す。
【００１９】
図１においては１セクタに含まれる２６フレームそれぞれの先頭に付加される同期信号はＳＹ０〜ＳＹ７であり、それぞれの同期信号の各フレームに対する配置を示している。更にその前後のセクタにおけるフレーム配置の一部を示すことでセクタ間のフレーム同期信号の配置関係を示している。図１におけるフレーム分割は、例えば図２（ｂ）に示したインタリーブ配列における１行の行データにつき２フレームとなっており、同期信号ＳＹ０〜ＳＹ７の配置は、セクタＩＤ２を含むフレームに先頭同期信号ＳＹ０を与え、左側のフレームについてはＳＹ１〜ＳＹ４を周期的に繰り返して配置、右側のフレームについては同期信号ＳＹ５を５フレーム、同期信号ＳＹ６、ＳＹ７についてはそれぞれ４フレーム連続するように配置する。このような同期信号ＳＹ０〜ＳＹ７を配置した結果、１セクタ内でＳＹ５領域、ＳＹ６領域、ＳＹ７領域の３領域に分割されることになり、ＳＹ５、ＳＹ６、ＳＹ７の各同期信号の識別によって領域が特定される。更に各領域内において同期信号ＳＹ０、ＳＹ１〜４の識別によってフレーム位置を特定することになる。今、少なくともＳＹ５、ＳＹ６、ＳＹ７の同期信号に含まれる接続、識別ビット３と共通同期パターン４に含まれるビットパターンの反転ビット数が同じであると仮定する。この場合ビットシフトによる同期信号の誤った識別によるフレーム位置の誤った特定が原因で発生するバースト的なエラーフレームの伝播を防ぐ目的で、少なくとも同期信号ＳＹ５、ＳＹ６、ＳＹ７に与えられる全てのビットパターンに対し、ＳＹ５とＳＹ６、ＳＹ５とＳＹ７、ＳＹ６とＳＹ７それぞれのビットパターン間での符号間距離を２以上とし、ビットパターン同士の相似度を低くする。この場合１セクタ内で分割された３つの領域においてＳＹ５、ＳＹ６、  ＳＹ７の各同期信号に１ビットシフトが発生した場合でも互いに符号間距離が２のため少なくともＳＹ５、ＳＹ６、ＳＹ７それぞれの領域間では互いに誤った同期信号の識別は行われないことになる。つまり１セクタ内でのフレーム位置の特定を例えば連続する数フレームで行うことでＳＹ５、ＳＹ６、ＳＹ７の各領域内では別の領域に対するフレーム位置の特定が行われなくなり、セクタ内でのエラーフレーム伝播を防止することができる。更にはＳＹ５、ＳＹ６の領域内で、ＳＹ７領域において行われる次セクタの先頭フレームの予想が行われないことになりセクタを超えたエラーフレームの伝播を防止することができる。またビットシフトによりＳＹ０〜ＳＹ４と識別された場合や、識別されない場合であっても、１セクタ内でのフレーム位置の特定を例えば連続する３フレームで行うことでフレーム位置の特定は前特定位置からの予測値となり、再生フレームとフレーム位置の特定結果が一致し、バーストエラー的なエラーフレームが発生しないことになる。また反転ビット数が互いに異なるＳＹ５、ＳＹ６、ＳＹ７をそれぞれ与え、ビットパターン同士の相似度を低くした場合にでもエラーフレームの発生を防止することが可能である。例えばＳＹ５、６、７の間で反転ビット数を（ＳＹ７）＞（ＳＹ６）＞（ＳＹ５）の関係にしたビットパターンを与えることが考えられる。
【００２０】
以上説明した第１の実施例において、１セクタ内のフレーム位置特定を更に正確に行うため、同期信号｛ＳＹ５、ＳＹ６、ＳＹ７｝と同期信号ＳＹ０、ＳＹ１、ＳＹ２、ＳＹ３、ＳＹ４それぞれのビットパターンに与える互いの符号間距離、反転ビット数の関係について説明する。
【００２１】
１セクタ内の領域を分割する｛ＳＹ５、ＳＹ６、ＳＹ７｝とＳＹ０或いは｛ＳＹ１、ＳＹ２、ＳＹ３、ＳＹ４｝それぞれの間で同期信号ビットパターンの相似度を低くするため、それらの間で符号間距離が互いに２以上のビットパターン、或いは反転ビット数の異なるビットパターンを与える。例えば｛ＳＹ５、ＳＹ６、ＳＹ７｝とＳＹ０、｛ＳＹ５、ＳＹ６、ＳＹ７｝と｛ＳＹ１、ＳＹ２、ＳＹ３、ＳＹ４｝の間、更にはＳＹ０と｛ＳＹ１、ＳＹ２、ＳＹ３、ＳＹ４｝の間それぞれの組み合わせにおいて互いに符号間距離２以上となるビットパターンを与える。
【００２２】
反転ビット数が異なる場合には、例えばＳＹ０＞｛ＳＹ５、ＳＹ６、ＳＹ７｝＞｛ＳＹ１、ＳＹ２、ＳＹ３、ＳＹ４｝の関係となるようなビットパターンを与える。
【００２３】
更に符号間距離２以上のビットパターンと、反転ビット数の異なるビットパターンを組み合わせることで同期信号に割り当て可能なビット数の増加を押さえ、ビットパターン同士の相似度についても低くすることが可能である。例えば反転ビット数の関係がＳＹ０＞｛ＳＹ５、ＳＹ６、SＹ７｝＞｛ＳＹ１、ＳＹ２、ＳＹ３、ＳＹ４｝となるように与え、かつ｛ＳＹ５、ＳＹ６、ＳＹ７｝と｛ＳＹ１、ＳＹ２、ＳＹ３、ＳＹ４｝それぞれの組み合わせにおいては反転ビット数が同一で、互いの符号間距離が互いに２以上となるようなビットパターンを与える。或いは例えば、ＳＹ０と｛ＳＹ５、ＳＹ６、SＹ７｝と｛ＳＹ１、ＳＹ２、ＳＹ３、ＳＹ４｝それぞれの組み合わせの間で互いに符号間距離を２以上とし、かつ反転ビット数については｛ＳＹ５、ＳＹ６、SＹ７｝において例えばＳＹ７＞ＳＹ６＞SＹ５の関係、｛ＳＹ１、ＳＹ２、ＳＹ３、ＳＹ４｝において例えばＳＹ１＞ＳＹ２＞ＳＹ３＞ＳＹ４の関係となるビットパターンを与える。この場合｛ＳＹ５、ＳＹ６、SＹ７｝、｛ＳＹ１、ＳＹ２、ＳＹ３、ＳＹ４｝の組み合わせの間で反転ビット数が同一であるビットパターンがあってもよい。例えば反転ビット数がＳＹ７とＳＹ１、ＳＹ６とＳＹ２、ＳＹ５とＳＹ３が同一であってもかまわない。しかしながら符号間距離はそれらの組み合わせの中で互いに２以上のビットパターンが与えられており、ビットパターン同士の相似度は低いことになる。
【００２４】
反転ビット数の関係を例えばＳＹ０＞ＳＹ７＞ＳＹ６＞ＳＹ５＞｛ＳＹ１、ＳＹ２、ＳＹ３、ＳＹ４｝の関係とし、｛ＳＹ１、ＳＹ２、ＳＹ３、ＳＹ４｝の組み合わせにおいては反転ビット数が同一で、互いの符号間距離が互いに２以上となるようなビットパターンを与える場合や、反転ビット数の関係を例えばＳＹ０＞ＳＹ１＞ＳＹ２＞ＳＹ３＞ＳＹ４＞｛ＳＹ５、ＳＹ６、ＳＹ７｝の関係とし、｛ＳＹ５、ＳＹ６、ＳＹ７｝の組み合わせにおいては反転ビット数が同一で、互いの符号間距離が互いに２以上となるようなビットパターンを与える場合もある。
【００２５】
ＳＹ０については、その他の同期信号に対するビットパターンとの相似度が最も低いことが望ましいが、他の同期信号との反転ビット数が同一、或いは符号間距離１であってもかまわない。例えば反転ビット数がＳＹ０と｛ＳＹ５、ＳＹ６、ＳＹ７｝の間で同一とし、符号間距離を互いに２以上とする場合もある。
【００２６】
一方で｛ＳＹ１、ＳＹ２、ＳＹ３、ＳＹ４｝の組み合わせにおける全てのビットパターンが互いに符号間距離が２以上、或いは反転ビット数が異なることに限定されず、互いの符号間距離２以上のビットパターンと反転ビット数が異なるビットパターンの組み合わせによって同期信号に割り当て可能なビット数の増加を押さえながら｛ＳＹ１、ＳＹ２、ＳＹ３、ＳＹ４｝における互いのビットパターンの相似度を低くすることも考えられる。例えば反転ビット数の関係を｛ＳＹ１、ＳＹ２｝＞｛ＳＹ３、ＳＹ４｝として与え、｛ＳＹ１、ＳＹ２｝、｛ＳＹ３、ＳＹ４｝それぞれの組み合わせにおいては反転ビット数が同一であり、互いの符号間距離が２以上となるビットパターンを与える場合もある。
【００２７】
また｛ＳＹ５、ＳＹ６、ＳＹ７｝の組み合わせにおける全てのビットパターンについても、互いに符号間距離２以上、或いは反転ビット数が異なるビットパターンに限定されずに、互いの符号間距離が２以上のビットパターンと、反転ビット数が異なるビットパターンの組み合わせによって同期信号に割り当て可能なビット数の増加を押さえながら｛ＳＹ５、ＳＹ６、ＳＹ７｝における互いのビットパターンの相似度を低くすることも考えられる。例えば反転ビット数をＳＹ７＞｛ＳＹ５、ＳＹ６｝の関係になるようにし、ＳＹ５とＳＹ６については反転ビット数は同一で、互いの符号間距離が２以上となるビットパターンを与える場合もある。
【００２８】
図５は本発明の第２の実施例を示す図であり、少なくともＳＹ５、ＳＹ６、ＳＹ７の同期信号に含まれる接続、識別ビット３と共通同期パターン４に含まれる反転ビット数が同じであると仮定し、ビットシフトによる同期信号の誤った識別が発生した場合のバースト的なエラーフレームの伝播を防ぐ目的で、少なくともＳＹ５、ＳＹ６、ＳＹ７に与えられる全てのビットパターンに対し、ＳＹ５、ＳＹ６については符号間距離が１のままで、ＳＹ７についてはＳＹ５、ＳＹ６それぞれの間で符号間距離を２以上としたビットパターンを与え、ＳＹ７とＳＹ５、ＳＹ７とＳＹ６との間でビットパターンの相似度を低くした場合を示してある。
【００２９】
この場合１セクタ内で分割された３つの領域におけるＳＹ５、ＳＹ６、ＳＹ７の同期信号に１ビットシフトが発生した場合でも符号間距離が２であるため少なくともＳＹ７の領域内で誤った同期信号ＳＹ５、ＳＹ６の識別は行われず、またＳＹ５、ＳＹ６の領域内でも誤った同期信号ＳＹ７の識別は行われないことになる。つまり１セクタ内でのフレーム位置の特定を例えば連続する数フレームで行うことでＳＹ５、ＳＹ６の領域内ではＳＹ７領域において行われる次セクタの先頭フレームの予想が確実に行われないことになり、少なくともセクタを超えたエラーフレームの伝播を防止することができる。また反転ピット数がＳＹ０が最大で、反転ビット数が（ＳＹ５、ＳＹ６）とＳＹ７との間で異なるビットパターンを与えることで相似度を低くした場合にでも上記したセクタを超えたエラーフレームの伝播を少なくとも防止することが可能である。例えばＳＹ５、６、７の間で反転ビット数を（ＳＹ７）＞（ＳＹ６、ＳＹ５）の関係にしたビットパターンを与えることが考えられる。或いは符号間距離と反転ビット数の組み合せで例えばＳＹ７と（ＳＹ６、ＳＹ５）の間で符号間距離が２となるビットパターンを割当て、異なる反転ビット数をＳＹ６、ＳＹ５のビットパターンに対し与える、或いはその逆で  異なる反転ビット数のＹ７と（ＳＹ６、ＳＹ５）のビットパターンを与え、ＳＹ５、ＳＹ６の間で符号間距離２のビットパターンを与えることも有りうる。
【００３０】
以上説明した第２の実施例についても１セクタ内のフレーム位置特定を更に正確に行うため、第１の実施例において説明した｛ＳＹ５、ＳＹ６、ＳＹ７｝、ＳＹ０、｛ＳＹ１、ＳＹ２、ＳＹ３、ＳＹ４｝における同期信号の組み合わせそれぞれに対し、符号間距離２以上、反転ビット数の異なるビットパターンが同様に与えられる。
【００３１】
図６は本発明の第３の実施例を示す図であって、セクタ先頭を示す先頭同期信号ＳＹ０のフレームから次セクタの先頭フレーム手前のフレームを、少なくともｍフレーム（ｍは正の整数）とｎフレーム（ｎは正の整数）に領域分割し、互いに相似度の低いビットパターンの同期信号を配置する方法を示している。図６において例えばＳＹ（ｍ＋ｎ）の（ｍ＋ｎ）は１セクタ内でのフレーム位置を示しており、１セクタは合計（ｍ＋ｎ）フレームで構成される。この（ｍ＋ｎ）フレームにおいてセクタＩＤを含む次セクタの先頭フレーム手前のｎフレームにおいて、それらｎフレームに含まれる同期信号ＳＹ（ｍ＋１）〜ＳＹ（ｍ＋ｎ）に与えられる全てのビットパターンに対し互いに符号間距離を２以上とすることで相似度を互いに低くする。この場合例えばフレーム位置の判定連続フレーム数をｋフレーム（ｋは正の整数でｋ≦ｎ）とすると、セクタ最終のｎフレームにおいて１ビットシフトが発生した場合にでも互いに符号間距離が２であるためフレーム位置の識別は正しく行われ、次セクタにまたがるエラーフレームの伝播を防止することができる。特にフレーム位置の判定フレーム数をｋ＜ｎとすることで少なくともｎフレームの領域内でのフレーム位置の判定を数回行うことが可能となり、フレーム位置の識別を確実に行うことが可能となる。また反転ピット数がＳＹ（０）が最大で、ｎフレームに含まれる同期信号全ての反転ビット数が異なるＳＹ（ｍ＋１）〜ＳＹ（ｍ＋ｎ）を与えた場合にでも上記した次セクタにまたがるエラーフレームの伝播を防止することが可能である。例えばＳＹ（ｍ＋１）〜ＳＹ（ｍ＋ｎ）の間で反転ビット数をＳＹ（ｍ＋ｎ）＞ＳＹ（ｍ＋ｎ−１）＞・・・＞ＳＹ（ｍ＋２）＞ＳＹ（ｍ＋１）の関係にしたビットパターンを与えることが考えられる。
【００３２】
以上説明した第３の実施例においても、１セクタ内のフレーム位置特定を更に正確に行うため、セクタＩＤを含むフレーム手前のｎフレームとその他のｍフレームに対する同期信号のビットパターンに与える符号間距離、反転ビット数の関係について説明する。
【００３３】
１セクタ内の領域を分割するｎフレームに含まれる同期信号の組み合わせと、ｍフレームに含まれる同期信号の組み合わせの間においてもビットパターンの相似度を低くするため、それらの間で符号間距離が互いに２以上のビットパターン、或いは反転ビット数の異なるビットパターンを与えることが考えられる。例えばｎフレームに含まれる全ての同期信号の組み合わせとｍフレームに含まれる全ての同期信号の組み合わせの間で互いに符号間距離２以上となるビットパターンを与える。反転ビット数が異なる場合には、例えば｛ｎフレームに含まれる全ての同期信号の組み合わせ｝＞｛ｍフレームに含まれる同期信号の組み合わせ｝の関係となるようなビットパターンを与える。
【００３４】
また同期信号に割り当てられるビット数の制限から符号間距離２以上のビットパターンと反転ビット数が異なるビットパターンの組み合わせで互いのビットパターンの相似度を低くする場合もある。例えば反転ビット数の関係を｛ｎフレームに含まれる同期信号の組み合わせ｝＞｛ｍフレームに含まれる同期信号の組み合わせ｝として与え、かつｎフレームに含まれる同期信号の組み合わせ、ｍフレームに含まれる同期信号の組み合わせそれぞれにおいては反転ビット数が同一で、互いの符号間距離が互いに２以上となるようなビットパターンを与える。或いは｛ｎフレームに含まれる同期信号の組み合わせ｝、｛ｍフレームに含まれる同期信号の組み合わせ｝それぞれにおいては反転ビット数がそれぞれ異なるビットパターンを与え、かつ｛ｎフレームに含まれる同期信号の組み合わせ｝と｛ｍフレームに含まれる同期信号の組み合わせ｝の間では互いに符号間距離２以上となるビットパターンを与える場合もある。この場合も、ｎフレームに含まれる同期信号の組み合わせと、ｍフレームに含まれる同期信号の組み合わせの一部で反転ビット数が同一のビットパターンが存在するが、それら互いの符号間距離は２以上であり、ビットパターンの相似度は低いことになる。
【００３５】
またｎフレームに含まれる同期信号のビットパターンについては反転ビット数がすべて異なるビットパターンを与え、ｍフレームに含まれる同期信号のビットパターンについては反転ビット数はすべて同一であり、互いの符号間距離が２以上となるビットパターン、或いはその逆でｎフレームに対しては互いの符号間距離２以上、ｍフレームに対しては反転ビット数の異なるビットパターンを与えることでｎフレーム、ｍフレームに含まれる同期信号のビットパターンの相似度を低くすることも考えられる。この場合もたとえばｎフレームに含まれる同期信号の反転ビット数と、ｍフレームに含まれる反転ビット数が同一のものが存在する場合もあるが、それら互いに符号間距離は２以上となっておりビットパターン同士の相似度は低いことになる。
【００３６】
一方でｍフレームに含まれる同期信号における全てのビットパターンについては互いに符号間距離が２以上、或いは反転ビット数が異なることに限定されず、互いの符号間距離２以上のビットパターンと反転ビット数が異なるビットパターンの組み合わせによってｍフレームに含まれる全ての同期信号に対する互いの相似度を低くすることも考えられる。例えばｍフレーム中、１フレーム以上のフレームごとに第１の分割領域から第ｋ（ｋは正の整数）の分割領域に細分し、それら分割領域に対する同期信号の反転ビット数を｛第１の分割領域｝＞｛第２の分割領域｝＞・・・＞｛第ｋの分割領域｝の関係として与え、かつ各第１から第ｋのそれぞれの分割領域に含まれる同期信号のビットパターンはそれぞれの組み合わせにおいては反転ビット数が同一であり、互いの符号間距離が２以上となるビットパターンを与える、或いは｛第１の分割領域｝、｛第２の分割領域｝、・・・｛第ｋの分割領域｝それぞれの組み合わせに含まれる同期信号に対し異なる反転ビット数を与え、かつ｛第１の分割領域｝、｛第２の分割領域｝、・・・｛第ｋの分割領域｝の各組み合わせの間で互いに符号間距離が２以上となるビットパターンを与えることが考えられる。
【００３７】
またｎフレームに含まれる同期信号におけるビットパターンにつても、互いに符号間距離２以上、或いは反転ビット数が異なるビットパターンに限定されずに、符号間距離が２以上のビットパターンと、反転ビット数が異なるビットパターンの組み合わせによって互いのビットパターンの相似度を低くすることも考えられる。例えばｎフレーム中、1フレーム以上のフレームごとに第1の分割領域から第ｈ（ｈは正の整数）の分割領域に細分し、それら分割領域に対する同期信号の反転ビット数を｛第１の分割領域｝＞｛第２の分割領域｝＞・・・＞｛第ｈの分割領域｝の関係として与え、かつ各第１から第ｈのそれぞれの分割領域に含まれる同期信号のビットパターンはそれぞれの組み合わせにおいては反転ビット数が同一であり、互いの符号間距離が２以上となるビットパターンを与える、或いは｛第１の分割領域｝、｛第２の分割領域｝、・・・｛第ｈの分割領域｝それぞれの組み合わせに含まれる同期信号に対し異なる反転ビット数を与え、かつ｛第１の分割領域｝、｛第２の分割領域｝、・・・｛第ｈの分割領域｝の各組み合わせの間で互いに符号間距離が２以上となるビットパターンを与えることが考えられる。
【００３８】
図７は本発明の第４の実施例を示す図であって、セクタ先頭を示す先頭同期信号ＳＹ０のフレームから次セクタの先頭フレーム手前のフレームを、少なくともｍフレーム（ｍは正の整数）とｎフレーム（ｎは正の整数）に領域分割し、互いに相似度の低いビットパターンの同期信号を配置する別の方法を示している。図７においても例えばＳＹ（ｍ＋ｎ）の（ｍ＋ｎ）は１セクタ内でのフレーム位置を示しており、１セクタは合計（ｍ＋ｎ）フレームで構成される。この（ｍ＋ｎ）フレームにおいてセクタＩＤを含む次セクタの先頭フレーム手前のｎフレームにおいて、それらｎフレームに含まれる同期信号ＳＹ（ｍ＋１）〜ＳＹ（ｍ＋ｎ）に対し、例えば１フレームおきの同期信号に与えられる全てのビットパターンに対し互いに符号間距離を２以上とすることで相似度を互いに低くしたビットパターンを与える。この場合も例えばフレーム位置の判定フレーム数をｋフレーム（ｋは正の整数でｋ≦ｎ）とすると、セクタ最終のｎフレームにおいて１ビットシフトが発生した場合にでも、１フレームおきに互いに符号間距離が２であるためフレーム位置の識別は正しく行われ、次セクタにまたがるエラーフレームの伝播を防止することができる。特にフレーム位置の判定フレーム数をｋ＜ｎとすることでｎフレームの領域内でのフレーム位置の判定を数回行うことが可能で、少なくともｎフレームの領域内でフレーム位置の識別を確実に行うことが可能となる。また反転ピット数がＳＹ（０）が最大で、ｎフレームに含まれる同期信号に対して例えば１フレームおきに反転ビット数が異なるＳＹ（ｍ＋２）、ＳＹ（ｍ＋４）、・・・ＳＹ（ｍ＋ｎ）を与えた場合にでも上記した次セクタにまたがるエラーフレームの伝播を防止することが可能である。例えば反転ビット数をＳＹ（ｍ＋ｎ）＞ＳＹ（ｍ＋ｎ−１）＞・・・＞ＳＹ（ｍ＋４）＞ＳＹ（ｍ＋２）の関係にしたビットパターンを与えることが考えられる。この第４の実施例でｎフレームにおける符号間距離２のビットパターン、或いは異なる反転ビット数のビットパターンを与える際には、上記した例にとらわれず、２、３、４、・・・フレームおきとしても構わなく、数フレームおきに与えられる符号間距離２のビットパターン、或いは異なる反転ビット数のビットパターンは２、３、４・・・フレーム連続して与えても構わない。
【００３９】
以上説明した第４の実施例においても、１セクタ内のフレーム位置特定を更に正確に行うため、セクタＩＤを含むフレーム手前のｎフレームとその他のｍフレームに対する同期信号のビットパターンそれぞれに与える符号間距離、反転ビット数の関係についても、第３の実施例において説明した場合と同様の方法が適用される。
【００４０】
またｎフレームに含まれる同期信号に対するビットパターンについては、１フレーム以上のフレームごとに互いに符号間距離２以上、或いは反転ビット数が異なるビットパターン、それらの組み合わせにより互いに相似度の低いビットパターンが与えられることに限定されず、ｎフレームに含まれる全ての同期信号についても、互いの符号間距離、反転ビット数の組み合わせで同期信号に対するビットパターンの相似度を低くする場合もある。例えばｎフレーム中、１フレーム以上のフレームごとに符号間距離２以上、或いは反転ビット数の異なるビットパターンを与える同期信号とそれ以外のフレームについて、反転ビット数の関係を（ｎフレームに含まれる符号間距離２以上の同期信号）＞（ｎフレームに含まれるその他の同期信号）として与える。更にｎフレームに含まれるその他の同期信号についても互いの符号間距離が２以上となるビットパターンを与えることで全ての同期信号の互いのビットパターンの相似度を低くすることが考えられる。
【００４１】
図８は本発明の第５の実施例を示す図であって、セクタ先頭を示す先頭同期信号に対するフレームから次のセクタ先頭フレーム前のフレームに対し例えばｐフレーム（ｐは正の整数）、ｑフレーム（ｑは正の整数）、ｒフレーム（ｒは正の整数）の３つの領域に分割する際に、各領域の最終フレームを含む例えば２フレームに対し符号間距離が２、或いは反転ビット数の異なる相似度の互いに低い同期信号を配置する方法を示してある。図８において例えばＳＹ（ｐ）の（ｐ）は１セクタ内に含まれるフレーム位置を示しており、１セクタは合計（ｐ＋ｑ＋ｒ）フレームで構成される。この（ｐ＋ｑ＋ｒ）フレームにおいて例えば第１の領域の最終２フレームＳＹ（ｐ−１）とＳＹ（ｐ）、同様に第２の領域のＳＹ（ｑ−１）、ＳＹ（ｑ）、第３の領域のＳＹ（ｒ−１）、ＳＹ（ｒ）のフレームに対し、各領域の最終２フレームが互いに符号間距離が２となるようにビットパターンを与え、最終２フレームの間でビットパターンの相似度を低くする。例えばＳＹ（ｐ−１）とＳＹ（ｐ）の間の符号間距離は２であり、ＳＹ（ｑ）とＳＹ（ｑ−１）、ＳＹ（ｒ）とＳＹ（ｒ−１）それぞれの組み合わせに対するビットパターンに対する符号間距離も２となる。更に第１の領域におけるＳＹ（ｐ−１）とＳＹ（ｐ）、第２の領域におけるＳＹ（ｑ）とＳＹ（ｑ−１）、第３の領域におけるＳＹ（ｒ）とＳＹ（ｒ−１）との間で反転ビット数を｛ＳＹ（ｐ−１）、ＳＹ（ｐ）｝＞｛ＳＹ（ｑ）、ＳＹ（ｑ−１）｝＞｛ＳＹ（ｒ）、ＳＹ（ｒ−１）｝となるように与え、各領域を示す最終２フレームの間でビットパターンの相似度を低くする。或いは領域ごとの最終２フレームの相似度を反転ビット数が異なることにより低くし、各領域同士の最終２フレーム同士で符号間距離を２とする場合もある。このような符号間距離、反転ビット数を図８に示すように配置することによりエラーフレームの伝播は各領域内に留まり、更には次セクタにまたがるエラーフレームの伝播を防止することができる。また各領域の最終フレーム数は２フレームに限らず、１フレーム或いは３、４、・・・フレームであっても良く、ｐ、ｑ、ｒフレームごとに分割される領域については３つの領域に限定されず、２領域、或いは４、５、・・・領域としても良い。
【００４２】
以上説明した第５の実施例においても、１セクタ内のフレーム位置特定を更に正確に行うため、各領域を分割する最終数フレームに対する同期信号のビットパターンに与える符号間距離、反転ビット数の関係、更には各領域ごとの最終数フレームとそれ以外のフレームに対する同期信号のビットパターンそれぞれに与える符号間距離、反転ビット数の関係それぞれについて説明する。
【００４３】
各領域を分割する最終数フレームについては、各最終数フレームに含まれる同期信号の符号間距離が互いに２以上を与え、かつ各領域の最終数フレーム同士に互いに異なる反転ビット数のビットパターンを与える、或いは各最終数フレームに含まれる同期信号に異なる反転ビット数のビットパターンを与え、かつ各領域の最終数フレーム同士が互いに符号間距離２のビットパターンを与える限定されずに、各領域を分割する全ての最終数フレームについてもすべて互いの符号間距離が２以上、或いは反転ビット数が全て異なる同期信号のビットパターンが与えられる場合もある。
【００４４】
また、各分割領域において最終数フレームとそれ以外のその他のフレームに対する同期信号についても、符号間距離と反転ビット数の組み合わせにより同期信号に対する相似度を低くする場合がある。例えば反転ビット数を｛最終数フレームに含まれる同期信号｝＞｛その他フレームに含まれる同期信号｝となるように与え、かつ｛最終数フレームに含まれる同期信号｝、｛その他フレームに含まれる同期信号｝それぞれにおいて符号間距離が互いに２以上となるビットパターンを与える場合や、｛最終数フレームに含まれる同期信号｝、｛その他フレームに含まれる同期信号｝それぞれにおいて異なる反転ビット数となるビットパターンを与え、かつ｛最終数フレームに含まれる同期信号｝と｛その他フレームに含まれる同期信号｝の間では符号間距離が互いに２以上となるビットパターンを与える場合がある。
【００４５】
また、各領域同士の間で符号間距離２以上のビットパターン、互いに反転ビット数の異なるビットパターン、それらを組み合わせることにより互いの同期信号の相似度を低くしたビットパターンを与え、相似度を低くする場合もある。
【００４６】
また、各領域において、領域分割する最終数フレーム以外のその他のフレーム同士すべての間で互いに符号間距離２以上のビットパターン、互いに反転ビット数の異なるビットパターン、それらを組み合わせることにより互いの同期信号の相似度を低くしたビットパターンを与え、相似度を低くする場合もある。
【００４７】
なお本発明における同期信号には共通の同期パターンを用い、接続ビットと識別ビットによって同期信号の種類の判定を行っているがこれに限定されず、同期信号に含まれるビットパターンに対し符号間距離２あるいは反転ビット数の異なれば共通同期パターンを用いなくても良い。例えば第２の実施例においてセクタの最終領域を示すＳＹ７、セクタ先頭を示すＳＹ０に含まれる同期パターンを他のＳＹ１〜ＳＹ６までに共通の同期パターンとは別パターンとし、接続ビット、識別ビットによりＳＹ７、ＳＹ０を判定しても構わない。
【００４８】
また本発明のディジタル信号生成方法における同期フレームはディスク状の記録媒体に記録され、セクタＩＤの検出によってセクタ単位でのアクセス、再生を可能とするものであり。更に同期フレーム記録の対象となるディスク状の記録媒体は記録情報の先頭から終わりまでに対する同期フレームを全て連続してトラック上書き込むものに限定されず、書換え可能なディスク上のプリピットとしてディスク中の物理アドレスが刻まれ、そのプリピットの間にセクタ単位で１セクタに対するフレームを連続的に書き込み、セクタ間は非連続的となる場合の光ディスクにも適応できる。
【００４９】
また第３、第４、第５の実施例において１セクタ内を構成する同期フレームは第１、第２の実施例で示したＳＹ０〜ＳＹ７の配置が対応する場合も有りうる。第３、第４、第５の実施例では符号間距離が互いに２、或いは反転ビット数が互いに異なるビットパターンの位置だけを示しており、例えば第３の実施例においてＳＹ０〜ＳＹ７の同期信号の配置を適応した場合にでも同じＳＹ７の同期信号であってもその符号間距離は互いに２であり、反転ビット数も互いに異なるビットパターンが当てはまることになる。
【００５０】
また第１〜第５の実施例において説明した同期信号の互いのビットパターンの符号間距離は２に限定されず、全てが２以上、あるいは例えばあるビットパターンに対しては符号間距離が２で別のビットパターンに対しては符号間距離３であるような符号間距離の異なる組み合わせでも構わない。
【００５１】
また第１〜第５の実施例で説明した符号間距離２、或いは反転ビット数の異なるビットパターンを持つ同期信号については、同期信号に割り当てられるビット数の制限があっても各実施例において必要なビットパターンの種類を満たす目的で、互いに符号間距離が２以上のビットパターンと互いに反転ビット数の異なるビットパターンを組み合せることにより、互いのビットパターン同士の相似度を低くしても構わない。
【図面の簡単な説明】
【００５２】
【図１】本発明によるディジタル信号記録方法の第１の実施例を示す図。
【図２】ディスクに記録するディジタル信号の生成方法の一例を示す図。
【図３】同期信号の構成要素とビットパターンを示す図。
【図４】同期信号に対する反転ビット数と符号間距離が１の同期信号の対応を示す図。
【図５】本発明によるディジタル信号記録方法の第２の実施例を示す図。
【図６】本発明によるディジタル信号記録方法の第３の実施例を示す図。
【図７】本発明によるディジタル信号記録方法の第４の実施例を示す図。
【図８】本発明によるディジタル信号記録方法の第５の実施例を示す図。
【符号の説明】
【００５３】
１…先頭同期信号、２…セクタＩＤ、３…接続、識別ビット、４…共通同期パターン、５…フレーム位置、６…セクタ。
【図１】
2006286187.tif 000003
【図２】
2006286187.tif 000004
【図３】
2006286187.tif 000005
【図４】
2006286187.tif 000006
【図５】
2006286187.tif 000007
【図６】
2006286187.tif 000008
【図７】
2006286187.tif 000009
【図８】
2006286187.tif 000010
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記第１のフレームの直前のｎ個（ｎは２以上の整数）の同期信号は、連続する同期信号の組み合わせが、
前記識別のためのビットパターンが互いに符号間距離が２以上となる組み合わせであるか、或いは、
前記識別のためのビットパターンに含まれる反転ビット数が異なる組み合わせであることを特徴とするディジタル信号記録方法。
【請求項２】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録媒体に記録するディジタル信号記録方法であって、
前記第１のフレームの直前のｎ個（ｎは３以上の整数）の同期信号は、連続するｋ個（ｋは２以上の整数）の同期信号の組み合わせが、
前記識別のためのｋ個のビットパターン中、２つ以上のビットパターンの組み合わせにおいて、互いに符号間距離が２以上となる組み合わせであるか、或いは、
前記識別のためのｋ個のビットパターン中、２つ以上のビットパターンの組み合わせにおいて、含まれる反転ビット数が異なる組み合わせであることを特徴とするディジタル信号記録方法。
【請求項３】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録した情報記録媒体であって、
前記第１のフレームの直前のｎ個（ｎは２以上の整数）の同期信号は、連続する同期信号の組み合わせが、
前記識別のためのビットパターンが互いに符号間距離が２以上となる組み合わせであるか、或いは、
前記識別のためのビットパターンに含まれる反転ビット数が異なる組み合わせであることを特徴とする情報記録媒体。
【請求項４】
識別のためのビットパターンを含んだ同期信号と記録媒体上の記録位置を示すアドレス情報を有する第１のフレームと、
前記同期信号を有し前記アドレス情報を有さない第２のフレームと、
を複数個組み合わせて構成したセクタを記録した情報記録媒体であって、
前記第１のフレームの直前のｎ個（ｎは３以上の整数）の同期信号は、連続するｋ個（ｋは２以上の整数）の同期信号の組み合わせが、
前記識別のためのｋ個のビットパターン中、２つ以上のビットパターンの組み合わせにおいて、互いに符号間距離が２以上となる組み合わせであるか、或いは、
前記識別のためのｋ個のビットパターン中、２つ以上のビットパターンの組み合わせにおいて、含まれる反転ビット数が異なる組み合わせであることを特徴とする情報記録媒体。